(57)【要約】【課題】ノートパソコン等のコンピュータの携帯時の安全性を高めることができ、しかも移動中での使用時の安全性を高めることができ、併せて移動中での使用を考慮することができるようにする。【解決手段】コンピュータ１を収容するケース本体１０側にケース側ヒモ２０をスライド自在に連結し、そのケース側ヒモ２０に肩ヒモ３０をスライド自在に連結するようにし、さらにケース側ヒモ２０の一部がコンピュータ１に連結固定部を介して連結固定され、ケース本体１０にコンピュータ１が収容されると、ケース側ヒモ２０がケース本体の内部に引込まれるようにする。【選択図】　　図２
2004097801.tif 000002
【特許請求の範囲】
【請求項１】
コンピュータを収容するケース本体と、
前記ケース本体側にスライド自在に連結されるケース側ヒモと、
前記ケース側ヒモに対してスライド自在に連結される肩ヒモとを備え、
前記ケース側ヒモの一部が前記コンピュータに連結固定され、前記ケース本体に前記コンピュータが収容されると、前記ケース側ヒモが前記ケース本体の内部に引込まれることを特徴とするコンピュータ携帯用鞄。
【請求項２】
前記ケース本体の両側部の上下には、前記ケース側ヒモをスライド自在に連結挿通させる連結挿通部が設けられ、
前記肩ヒモの両端には、前記ケース側ヒモにスライド自在に連結される連結部が設けられている
ことを特徴とする請求項１に記載のコンピュータ携帯用鞄。
【請求項３】
前記ケース本体の前面下部と背面上部、又は前面下部及び前面上部と背面上部に、前記ケース側ヒモをスライド自在に連結挿通させる連結挿通部が設けられ、
前記肩ヒモの両端には、前記ケース側ヒモにスライド自在に連結される連結部が設けられている
ことを特徴とする請求項１に記載のコンピュータ携帯用鞄。
【請求項４】
前記ケース本体の一側部の前面下部及び前面上部と背面上部、又は前面上部と背面上部に、前記ケース側ヒモをスライド自在に連結挿通させる連結挿通部が設けられ、
前記肩ヒモの端には、前記ケース側ヒモにスライド自在に連結される連結部が設けられている
ことを特徴とする請求項１に記載のコンピュータ携帯用鞄。
【請求項５】
前記ケース側ヒモの一部には、前記コンピュータを連結固定する連結固定部が設けられていることを特徴とする請求項１〜４の何れかに記載のコンピュータ携帯用鞄。
【請求項６】
前記肩ヒモには、この肩ヒモ自体の長さを調節する調節部が設けられていることを特徴とする請求項１〜５の何れかに記載のコンピュータ携帯用鞄。
【請求項７】
前記ケース本体の前面側又は背面側には前記コンピュータの滑り止めとなる滑り止め手段が設けられていることを特徴とする請求項１〜６の何れかに記載のコンピュータ携帯用鞄。
【請求項８】
前記ケース側ヒモは、ループ状とされていることを特徴とする請求項１〜７の何れかに記載のコンピュータ携帯用鞄。
【請求項９】
前記ケース本体は、ノートパソコンを収容するサイズであることを特徴とする請求項１〜３、５〜８の何れかに記載のコンピュータ携帯用鞄。
【請求項１０】
前記ケース本体は、ＰＤＡ又は携帯用のゲーム機又は携帯電話の何れかを収容するサイズであることを特徴とする請求項１、４〜８の何れかに記載のコンピュータ携帯用鞄。
【発明の詳細な説明】
【０００１】
【発明の属する技術分野】
本発明は、ノートパソコン等のコンピュータを携帯するためのコンピュータ携帯用鞄に関する。
【０００２】
【従来の技術】
ノートパソコン等のコンピュータは軽量であるため、持運びに適している。持運びに際しては、コンピュータを保護する等の目的から携帯用鞄が用いられている。携帯用鞄には、ソフトケースタイプのものやハードケースタイプのものがある。携帯用鞄の機能面では、肩掛用や手提用のものがあったり、コンピュータを収容する部分と書類等を入れる部分とを区切ったりするもの等がある。
【０００３】
【発明が解決しようとする課題】
ところで、上述したソフトケースタイプの携帯用鞄は、軽量であるため、携帯の面で有利であるが、満員電車等での混雑時には携帯用鞄を胸元に抱えて内部のコンピュータを保護する必要がある。
【０００４】
この点、上述したハードケースタイプの携帯用鞄は、非常に頑丈であるため、満員電車等での混雑時であっも内部のコンピュータを容易に保護することは可能である反面、鞄自体が重いばかりか、非常にかさばるために、携帯には不利な面がある。
【０００５】
また、これらの携帯用鞄は、何れも持運びの安全性のみが重視され、電車等の移動中での使用についての考慮が不足している。すなわち、電車等のシートに座っている状態では、膝上に携帯用鞄を介してコンピュータを載置することで、移動中でのコンピュータの使用は可能であるが、コンピュータをたとえば携帯用鞄上に固定する手段がないため、振動等により誤ってコンピュータを落してしまう危険性がある。
【０００６】
電車等のシートに座れない場合には、立った状態で片手でコンピュータを支えて使用することも多々見受けられるが、この場合にもコンピュータを固定する手段がないため、誤ってコンピュータを落してしまう危険性がさらに強められる。またこの場合、片手がコンピュータを支えることでふさがってしまうため、両手を使えないという問題もある。
【０００７】
本発明は、このような状況に鑑みてなされたものであり、ノートパソコン等のコンピュータの携帯時の安全性を高めることができ、しかも移動中での使用時の安全性を高めることができ、併せて移動中での使用を考慮することができるコンピュータ携帯用鞄を提供することができるようにするものである。
【０００８】
【課題を解決するための手段】
本発明のコンピュータ携帯用鞄は、コンピュータを収容するケース本体と、ケース本体側にスライド自在に連結されるケース側ヒモと、ケース側ヒモに対してスライド自在に連結される肩ヒモとを備え、ケース側ヒモの一部がコンピュータに連結固定され、ケース本体にコンピュータが収容されると、ケース側ヒモがケース本体の内部に引込まれることを特徴とする。
また、ケース本体の両側部の上下には、ケース側ヒモをスライド自在に連結挿通させる連結挿通部が設けられ、肩ヒモの両端には、ケース側ヒモにスライド自在に連結される連結部が設けられているようにすることができる。
また、ケース本体の前面下部と背面上部、又は前面下部及び前面上部と背面上部に、ケース側ヒモをスライド自在に連結挿通させる連結挿通部が設けられ、肩ヒモの両端には、ケース側ヒモにスライド自在に連結される連結部が設けられているようにすることができる。
また、ケース本体の一側部の前面下部及び前面上部と背面上部、又は前面上部と背面上部に、ケース側ヒモをスライド自在に連結挿通させる連結挿通部が設けられ、肩ヒモの端には、ケース側ヒモにスライド自在に連結される連結部が設けられているようにすることができる。
また、ケース側ヒモの一部には、コンピュータを連結固定する連結固定部が設けられているようにすることができる。
また、肩ヒモには、この肩ヒモ自体の長さを調節する調節部が設けられているようにすることができる。
また、ケース本体の前面側又は背面側にはコンピュータの滑り止めとなる滑り止め手段が設けられているようにすることができる。
また、ケース側ヒモは、ループ状とされているようにすることができる。
また、ケース本体は、ノートパソコンを収容するサイズであるようにすることができる。
また、ケース本体は、ＰＤＡ又は携帯用のゲーム機又は携帯電話の何れかを収容するサイズであるようにすることができる。
本発明に係るコンピュータ携帯用鞄においては、コンピュータを収容するケース本体側にケース側ヒモをスライド自在に連結し、そのケース側ヒモに肩ヒモをスライド自在に連結するようにし、さらにケース側ヒモの一部がコンピュータに連結固定され、ケース本体にコンピュータが収容されると、ケース側ヒモがケース本体の内部に引込まれるようにする。
【０００９】
【発明の実施の形態】
以下、本発明の実施の形態について説明する。
【００１０】
図１は、本発明のコンピュータ携帯用鞄の一実施の形態を示す図、図２及び図３は、図１のコンピュータ携帯用鞄の詳細を示す図、図４及び図５は、図１のコンピュータ携帯用鞄の使用方法を説明するための図、図６及び図７は、図１のコンピュータ携帯用鞄の構成を変えた場合の他の実施の形態を示す図、図８及び図９は、図１のコンピュータ携帯用鞄の構成を変えた場合の他の実施の形態を示す図、図１０及び図１１は、図８及び図９のコンピュータ携帯用鞄の使用方法を説明するための図、図１２及び図１３は、図１のコンピュータ携帯用鞄の構成を変えた場合の他の実施の形態を示す図、図１４及び図１５は、図１２及び図１３のコンピュータ携帯用鞄の使用方法を説明するための図、図１６は、図１２及び図１３のコンピュータ携帯用鞄の構成を変えた場合の他の実施の形態を示す図である。
【００１１】
図１〜図３に示すように、コンピュータ携帯用鞄は、ノートパソコン等のコンピュータ１を収容するケース本体１０と、ケース本体１０側にスライド自在に連結される２本のループ状のケース側ヒモ２０と、これらのケース側ヒモ２０にスライド自在に連結される肩ヒモ３０とを備えている。
【００１２】
ケース本体１０は、軽量で適度な剛性を持ったソフトケースタイプのものとすることができる。ケース本体１０は、Ａ４又はＡ５又はＢ５又はＢ６等のサイズのノートパソコンを収容するサイズである。ケース本体１０には、コンピュータ１の収容口２１を覆う蓋部２２と、手提用の取っ手２３と、蓋部２２自体の開放を阻止する留具２３ａとが設けられている。また、蓋部２２には、コンピュータ１の滑り止めとなる滑り止め手段としての滑り止めテープ２２ｂが設けられている。なお、この例では、滑り止めテープ２２ｂを例示しているが、これに限らず、蓋部２２の表面に凹凸状の滑り止め加工を施すようにしてもよい。
【００１３】
ケース本体１０の側面下部と背面上部とにはループ状のケース側ヒモ２０をスライド自在に連結挿通させる連結挿通部２４，２５が設けられている。ここで、連結挿通部２４，２５は、ケース本体１０の両側部の上下にあればよく、ケース本体１０の側面下部と背面上部とに限られるものではない。たとえば連結挿通部２４は、ケース本体１０の背面下部であってもよい。また、連結挿通部２５は、ケース本体１０の側面上部であってもよい。また、連結挿通部２４，２５は、ケース本体１０のたとえば側面下部と背面上部とに形成したスリットであってもよいし、ケース側ヒモ２０に合わせた挿通金具としてもよい。また、その挿通金具は、プラスチック製のものであってもよい。
【００１４】
ループ状のケース側ヒモ２０の一部には、コンピュータ１を連結固定する連結固定部２６が設けられている。ここで、連結固定部２６としては、マジックテープ（登録商標）や両面テープ等を用いることができる。また、直接マジックテープ（登録商標）で固定できないものについては、それ用のアタッチメントを作製することで対応可能である。
【００１５】
肩ヒモ３０の両端には、各ループ状のケース側ヒモ２０にスライド自在に連結される連結部としての連結金具３１が設けられている。なお、連結部としては連結金具３１に限らず、プラスチック製のものであってもよい。また、肩ヒモ３０には、肩ヒモ３０自体の長さを調節する調節部としての調節金具３２と、肩当部３３とが設けられている。ここで、調節金具３２としてはプラスチック製のものであってもよい。
【００１６】
なお、ケース本体１０内へコンピュータ１を収容する場合には、たとえば図３のように、ケース側ヒモ２０の連結固定部２６によって固定されている側を上に向けるようにしてもよいし、逆にケース側ヒモ２０の連結固定部２６によって固定されている側を下に向けるようにしてもよい。特に、ケース側ヒモ２０の連結固定部２６によって固定されている側を下に向けるようにして収容した場合には、ケース側ヒモ２０がケース本体１０内に引込まれる。そのため、肩ヒモ３０を肩に掛けると、ケース本体１０が胸元にくるように調節金具３２によって肩ヒモ３０自体の長さを調節しておくことが好ましい。
【００１７】
次に、このような構成のコンピュータ携帯用鞄の使用方法について説明する。
【００１８】
まず、電車等のシート等に腰掛けた状態で使用する場合、たとえば膝の上で図４（ａ）に示す状態から蓋部２２を開放し、図４（ｂ）に示すように、コンピュータ１をケース本体１０から引出す。ここで、コンピュータ１は、上述したように、ケース側ヒモ２０の連結固定部２６によって固定されている側を下に向けるようにしてケース本体１０内部に収容されているものとする。
【００１９】
このとき、ループ状のケース側ヒモ２０の連結固定部２６がコンピュータ１に連結されており、コンピュータ１の引出し動作に合わせてケース側ヒモ２０が引張られるが、ケース側ヒモ２０は上述したように、ケース本体１０の連結挿通部２４，２５にスライド自在に連結挿通されているため、ケース側ヒモ２０に邪魔されることなくコンピュータ１を引出すことができる。またこの場合、誤ってコンピュータ１から手を離すことがあっても、ケース側ヒモ２０に連結固定部２６を介してコンピュータ１が連結されているため、ケース側ヒモ２０によってコンピュータ１を支えることができることから、コンピュータ１の落下の危険性を阻止することができる。
【００２０】
次いで、ケース本体１０の蓋部２２を閉じた後、図４（ｃ）に示すように、その蓋部２２の上にコンピュータ１を載置する。この場合、上述したように、蓋部２２には、コンピュータ１の滑り止めとなる滑り止めテープ２２ｂが設けられているため、ケース本体１０上におけるコンピュータ１の座りを良好に維持することができる。そして、コンピュータ１の蓋体を開放することで、電車等のシート等に腰掛けた状態でコンピュータ１を安全に使用することができる。
【００２１】
使用後は、上述した手順とは逆の動きにより、コンピュータ１をケース本体１０内部に収容することができる。この場合、上述したように、ケース側ヒモ２０の連結固定部２６によって固定されている側を下に向けるようにしてコンピュータ１をケース本体１０内部に収容すると、ケース側ヒモ２０がケース本体１０内に引込まれる。このとき、上述したように、肩ヒモ３０自体の長さを調節しておくことにより、肩ヒモ３０を肩に掛けると、ケース本体１０が胸元にくるため、満員電車等での混雑時であってもケース本体１０を胸元で抱えることができ、コンピュータ１を保護することが容易となる。
【００２２】
一方、上述したように、ケース側ヒモ２０の連結固定部２６によって固定されている側を上に向けるようにしてコンピュータ１をケース本体１０内部に収容すると、ケース側ヒモ２０がケース本体１０内にほとんど引込まれないため、肩ヒモ３０を首から肩の間に掛けると、ケース本体１０が胸元にくるようにすることもできる。
【００２３】
次に、立った状態での使用方法について説明する。
【００２４】
コンピュータ１をケース本体１０から引出す手順は、図４（ａ）〜（ｃ）に示した通りであるが、立った状態での使用に際しては、たとえば図５に示すように、肩ヒモ３０を首に回した状態をとるようにする。このとき、ケース本体１０を水平に保つようにすると、肩ヒモ３０の両端がループ状のケース側ヒモ２０によって引張されるとともに、肩ヒモ３０の両端に設けられている連結金具３１を介して肩ヒモ３０の両端が各ループ状のケース側ヒモ２０に沿って適度な位置までスライドする。
【００２５】
この状態では、ループ状のケース側ヒモ２０がケース本体１０の側面下部と背面上部とに設けられている連結挿通部２４，２５に係合されるため、ケース本体１０から手を離してもケース本体１０が４点支持により水平に保持される。このとき、肩ヒモ３０の両端に設けられている連結金具３１がケース側ヒモ２０に沿って滑ると、ケース本体１０の水平姿勢が保たれなくなってしまうおそれがあるため、たとえばケース側ヒモ２０に対する連結金具３１の係合部分をクリップで固定するようにするか、又は肩ヒモ３０に引張力が生じると連結金具３１が締ってケース側ヒモ２０に対する連結金具３１の係合部分が固定されるような構造としてもよい。
【００２６】
この状態で、コンピュータ１の蓋体を開放することにより、立った状態でもコンピュータ１を水平に保持した状態で使用することができる。またこの状態では、ケース側ヒモ２０及び肩ヒモ３０によってコンピュータ１を水平に保持することができ、両手でコンピュータ１を操作することができる。この場合、上述したように、蓋部２２に設けられている滑り止めテープ２２ｂによってコンピュータ１の滑りが抑制される。また、上述したように、ケース側ヒモ２０に連結固定部２６を介してコンピュータ１が連結されているため、ケース本体１０上からコンピュータ１がずり落ちそうになっても、コンピュータ１の落下の危険性が阻止される。
【００２７】
このように、本実施の形態では、コンピュータ１を収容するケース本体１０側にケース側ヒモ２０をスライド自在に連結し、そのケース側ヒモ２０に肩ヒモ３０をスライド自在に連結するようにし、さらにケース側ヒモ２０の一部がコンピュータ１に連結固定部２６を介して連結固定され、ケース本体１０にコンピュータ１が収容されると、ケース側ヒモ２０がケース本体１０の内部に引込まれるようにした。
【００２８】
これにより、上述したように、肩ヒモ３０自体の長さを調節しておくことにより、ケース側ヒモ２０の連結固定部２６によって固定されている側をたとえば下に向けるようにしてコンピュータ１をケース本体１０内部に収容すると、ケース側ヒモ２０がケース本体１０内に引込まれ、肩ヒモ３０を肩に掛けると、ケース本体１０が胸元にくるため、満員電車等での混雑時であってもケース本体１０を胸元で抱えることができ、コンピュータ１を容易に保護することができる。
【００２９】
また、ケース側ヒモ２０の一部がコンピュータ１に連結固定部２６を介して連結固定されているため、ケース本体１０内部からコンピュータ１を取出す際、又はコンピュータ１の使用中に誤ってずり落ちそうになっても、コンピュータ１の落下の危険性を確実に阻止することができる。
【００３０】
また、ケース本体１０の蓋部２２に滑り止めテープ２２ｂが設けられているため、ケース本体１０上にコンピュータ１を載置したとき、コンピュータ１の座りを良好に維持することができる。
【００３１】
また、ケース側ヒモ２０がケース本体１０の側面下部と背面上部とに設けられている連結挿通部２４，２５に係合されるため、ケース本体１０から手を離してもケース本体１０が４点支持により水平に保持されることから、立った状態でもコンピュータ１を水平に保持した状態で安全に使用することができる。また、ケース側ヒモ２０及び肩ヒモ３０によってコンピュータ１が水平に保持されることから、両手でコンピュータ１を操作することができる。
【００３２】
また、ケース側ヒモ２０を、ループ状としているので、コンピュータ１の収容や取出しの際のスライド動作を円滑に行わせることができる。
【００３３】
また、肩ヒモ３０には、この肩ヒモ３０自体の長さを調節する調節金具３２が設けられているため、ケース側ヒモ２０及び肩ヒモ３０による長さを肩ヒモ３０側で容易に調節することができる。
【００３４】
なお、本実施の形態では、滑り止めテープ２２ｂをケース本体１０の蓋部２２に設けた場合について説明したが、たとえば図６に示すように、コンピュータ１の背面側に滑り止めテープ２を設けるようにしてもよい。
【００３５】
また、本実施の形態では、たとえば図２に示したように、ケース本体１０の蓋部２２を大きめなサイズのものとした場合について説明したが、この例に限らず、たとえば図７に示すように、ケース本体１０の蓋部２２を小さめなサイズとしてもよい。このようにケース本体１０の蓋部２２を小さめなサイズとすることで、ケース本体１０に対するコンピュータ１の出し入れを容易に行うことができる。またこの場合、滑り止めテープ２２ｂを蓋部２２とケース本体１０とに設けるようにすることで、ケース本体１０上にコンピュータ１を載置したとき、コンピュータ１の座りを良好に維持することができる。
【００３６】
また、本実施の形態では、たとえば図２に示したように、滑り止めテープ２２ｂをケース本体１０の蓋部２２に設けた場合について説明したが、この例に限らず、滑り止めテープ２２ｂをケース本体１０の背面側に設けるようにしてもよい。この場合、ケース本体１０の背面側にコンピュータ１を載置したとき、コンピュータ１の座りを良好に維持することができる。
【００３７】
また、本実施の形態でのコンピュータ携帯用鞄は、コンピュータ１を安全に収容するものとして説明したが、コンピュータ１に限らず、ＴＶチューナの付いた液晶ディスプレイや携帯用ＤＶＤ等の他の電子機器を収容する場合にも適用することができる。何れにしても携帯用であって落下の危険を防止しなければならず、しかも移動中に使用する可能性がある電子機器の用途に適用することができる。また、このような電子機器に限らず、たとえば記者の取材用ノートを開いたまま鞄に入れておくようにしてもよい。この場合、取材時には図５で説明したようにケース本体１０が水平に保持されることから、開いたままの取材用ノートをケース本体１０上に載置することで、立った状態でも取材用ノートへの書込みを容易に行うことができる。
【００３８】
図８及び図９は、図１のコンピュータ携帯用鞄の構成を変えた場合の他の実施の形態を示す図である。なお、以下に説明する図において、図１〜図３と共通する部分には、同一符号を付すものとする。図８及び図９に示すように、コンピュータ携帯用鞄は、上記同様に、ノートパソコン等のコンピュータ１を収容するケース本体１０と、ケース本体１０側にスライド自在に連結される２本のループ状のケース側ヒモ２０と、これらのケース側ヒモ２０にスライド自在に連結される肩ヒモ３０とを備えている。
【００３９】
ケース本体１０は、上記同様に、軽量で適度な剛性を持ったソフトケースタイプのものとすることができる。ケース本体１０には、コンピュータ１の収容口２１を覆う蓋部２２が設けられている。なお、ケース本体１０には、図２のように、手提用の取っ手２３や、蓋部２２自体の開放を阻止する留具２３ａを設けるようにしてもよい。また、蓋部２２には、図２のように、コンピュータ１の滑り止めとなる滑り止め手段としての滑り止めテープ２２ｂを設けるようにしてもよい。なお、滑り止めテープ２２ｂに限らず、蓋部２２の表面に凹凸状の滑り止め加工を施すようにしてもよい。
【００４０】
ケース本体１０の前面下部と背面上部とにはループ状のケース側ヒモ２０をスライド自在に連結挿通させる連結挿通部２４ａ，２５ａが設けられている。ここで、連結挿通部２４ａ，２５ａは、ケース本体１０の前面下部と背面上部とに限らず、前面上部と背面下部とに設けられるようにしてもよく、さらには前面下部と背面上部とに加え、前面上部と背面下部とに設けられるようにしてもよい。
【００４１】
このように、連結挿通部２４ａ，２５ａによってケース側ヒモ２０がスライド自在に連結挿通されることで、図１〜図３のように、ケース側ヒモ２０がケース本体１０の側面下部と背面上部との間で引き回されるものとは異なり、ケース側ヒモ２０がケース本体１０の前面下部と背面上部との間で引き回されることになる。これにより、ケース本体１０の両側部は、図８に示すように、ケース側ヒモ２０によって保持されるため、肩ヒモ３０を肩に掛けると、ケース本体１０がより安定した状態となる。なお、連結挿通部２４ａ，２５ａは、上記同様に、ケース本体１０の前面下部と背面上部とに形成したスリットであってもよいし、ケース側ヒモ２０に合わせた挿通金具としてもよい。また、その挿通金具は、プラスチック製のものであってもよい。
【００４２】
ループ状のケース側ヒモ２０の一部は、図９に示すように、コンピュータ１の背面側に設けられた滑り止めテープ３を介して連結固定されている。ここで、ループ状のケース側ヒモ２０の一部は、滑り止めテープ３を介さずに、図３のように、連結固定部２６によって連結固定されるようにしてもよい。また、その連結固定部２６及び滑り止めテープ３としては、上記同様に、マジックテープ（登録商標）や両面テープ等を用いることができる。また、直接マジックテープ（登録商標）で固定できないものについては、上記同様に、それ用のアタッチメントを作製することで対応可能である。
【００４３】
肩ヒモ３０の両端には、上記同様に、各ループ状のケース側ヒモ２０にスライド自在に連結される連結部としての連結金具３１が設けられている。なお、連結部としては連結金具３１に限らず、プラスチック製のものであってもよい。また、肩ヒモ３０には、上記同様に、肩ヒモ３０自体の長さを調節する調節部としての調節金具３２が設けられている。調節金具３２としてはプラスチック製のものであってもよい。なお、肩ヒモ３０には、上記同様に、肩当部３３を設けてもよい。
【００４４】
ケース本体１０内へコンピュータ１を収容する場合には、たとえば図９のように、ケース側ヒモ２０の一部が連結固定されている側を上に向けるようにしてもよいし、逆にケース側ヒモ２０の一部が連結固定されている側を下に向けるようにしてもよい。特に、ケース側ヒモ２０の一部が連結固定されている側を下に向けるようにして収容した場合には、上記同様に、ケース側ヒモ２０がケース本体１０内に引込まれる。そのため、肩ヒモ３０を肩に掛けると、ケース本体１０が胸元にくるように調節金具３２によって肩ヒモ３０自体の長さを調節しておくことが好ましい。
【００４５】
次に、このような構成のコンピュータ携帯用鞄の使用方法について説明する。
【００４６】
まず、電車等のシート等に腰掛けた状態で使用する場合、たとえば膝の上で図１０（ａ）に示す状態から蓋部２２を開放し、図１０（ｂ）に示すように、コンピュータ１をケース本体１０から引出す。ここで、コンピュータ１は、上述したように、ケース側ヒモ２０の一部が連結固定されている側を下に向けるようにしてケース本体１０内部に収容されているものとする。
【００４７】
このとき、ループ状のケース側ヒモ２０の一部がコンピュータ１に滑り止めテープ３を介して連結固定されており、コンピュータ１の引出し動作に合わせてケース側ヒモ２０が引張られるが、ケース側ヒモ２０は上述したように、ケース本体１０の連結挿通部２４ａ，２５ａにスライド自在に連結挿通されているため、ケース側ヒモ２０に邪魔されることなくコンピュータ１を引出すことができる。またこの場合、誤ってコンピュータ１から手を離すことがあっても、ケース側ヒモ２０の一部にコンピュータ１が連結されているため、ケース側ヒモ２０によってコンピュータ１を支えることができることから、コンピュータ１の落下の危険性を阻止することができる。
【００４８】
次いで、ケース本体１０の蓋部２２を閉じた後、図１０（ｃ）に示すように、その蓋部２２の上にコンピュータ１を載置する。この場合、上述したように、コンピュータ１の背面側には滑り止めテープ３が設けられているため、ケース本体１０上におけるコンピュータ１の座りを良好に維持することができる。そして、コンピュータ１の蓋体を開放することで、電車等のシート等に腰掛けた状態でコンピュータ１を安全に使用することができる。なお、ケース本体１０上にコンピュータ１を載置する場合には、蓋部２２を閉じずに載置してもよい。
【００４９】
使用後は、上述した手順とは逆の動きにより、コンピュータ１をケース本体１０内部に収容することができる。この場合、上述したように、ケース側ヒモ２０の一部が連結固定されている側を下に向けるようにしてコンピュータ１をケース本体１０内部に収容すると、ケース側ヒモ２０がケース本体１０内に引込まれる。このとき、上述したように、肩ヒモ３０自体の長さを調節しておくことにより、肩ヒモ３０を肩に掛けると、ケース本体１０が胸元にくるため、満員電車等での混雑時であってもケース本体１０を胸元で抱えることができ、コンピュータ１を保護することが容易となる。
【００５０】
一方、上述したように、ケース側ヒモ２０の一部が連結固定されている側を上に向けるようにしてコンピュータ１をケース本体１０内部に収容すると、ケース側ヒモ２０がケース本体１０内にほとんど引込まれないため、肩ヒモ３０を首から肩の間に掛けると、ケース本体１０が胸元にくるようにすることもできる。このとき、ケース本体１０の前面下部と背面上部とに設けられている連結挿通部２４ａ，２５ａによってケース側ヒモ２０がスライド自在に連結挿通されている。これにより、ケース本体１０の両側部は、図８のように、ケース側ヒモ２０によって保持されるため、肩ヒモ３０を肩又は首から肩の間に掛けると、ケース本体１０がより安定した状態となる。
【００５１】
次に、立った状態での使用方法について説明する。
【００５２】
コンピュータ１をケース本体１０から引出す手順は、図１０（ａ）〜（ｃ）に示した通りであるが、立った状態での使用に際しては、たとえば図１１に示すように、肩ヒモ３０を首に回した状態をとるようにする。このとき、ケース本体１０を水平に保つようにすると、上記同様に、肩ヒモ３０の両端がループ状のケース側ヒモ２０によって引張されるとともに、肩ヒモ３０の両端に設けられている連結金具３１を介して肩ヒモ３０の両端が各ループ状のケース側ヒモ２０に沿って適度な位置までスライドする。
【００５３】
この状態では、ループ状のケース側ヒモ２０がケース本体１０の前面下部と背面上部とに設けられている連結挿通部２４ａ，２５ａに係合されるため、ケース本体１０から手を離してもケース本体１０が４点支持により水平に保持される。なお、肩ヒモ３０の両端に設けられている連結金具３１がケース側ヒモ２０に沿って滑ると、ケース本体１０の水平姿勢が保たれなくなってしまうおそれがあるため、上記同様に、たとえばケース側ヒモ２０に対する連結金具３１の係合部分をクリップで固定するようにするか、又は肩ヒモ３０に引張力が生じると連結金具３１が締ってケース側ヒモ２０に対する連結金具３１の係合部分が固定されるような構造としてもよい。
【００５４】
この状態で、コンピュータ１の蓋体を開放することにより、立った状態でもコンピュータ１を水平に保持した状態で使用することができる。またこの状態では、ケース側ヒモ２０及び肩ヒモ３０によってコンピュータ１を水平に保持することができ、両手でコンピュータ１を操作することができる。この場合、上述したように、コンピュータ１の背面側に設けられている滑り止めテープ３によってコンピュータ１の滑りが抑制される。また、上述したように、ケース側ヒモ２０の一部がコンピュータ１に連結固定されているため、ケース本体１０上からコンピュータ１がずり落ちそうになっても、コンピュータ１の落下の危険性が阻止される。さらには、ケース本体１０の前面下部の連結挿通部２４ａの近傍のケース側ヒモ２０がコンピュータ１の角部に掛かるため、コンピュータ１のズレ落ちが確実に防止される。
【００５５】
このように、本実施の形態では、ループ状のケース側ヒモ２０がケース本体１０の前面下部と背面上部とに設けられている連結挿通部２４ａ，２５ａに係合されるようにし、ケース側ヒモ２０がケース本体１０の前面下部と背面上部との間で引き回されるようにしたので、ケース本体１０の両側部が図８のように、ケース側ヒモ２０によって保持されることから、上述した効果に加え、肩ヒモ３０を肩等に掛けたとき、ケース本体１０をより安定した状態とすることができる。
【００５６】
図１２及び図１３は、図１のコンピュータ携帯用鞄の構成を変えた場合の他の実施の形態を示す図である。これらの図に示すコンピュータ携帯用鞄は、ＰＤＡ１Ａを収容するためのものであり、ケース本体１０Ａと、ケース本体１０Ａ側にスライド自在に連結される１本のループ状のケース側ヒモ２０と、これらのケース側ヒモ２０にスライド自在に連結される肩ヒモ３０とを備えている。
【００５７】
ケース本体１０Ａは、上記同様に、軽量で適度な剛性を持ったソフトケースタイプのものとすることができる。ケース本体１０Ａは、ＰＤＡ１Ａを収容できるサイズである。ケース本体１０Ａには、ＰＤＡ１Ａの収容口２１を覆う蓋部２２が設けられている。なお、蓋部２２は、上述した留具２３ａやマジックテープ（登録商標）等によって蓋部２２自体の開放を阻止するようにしてもよい。また、ケース本体１０Ａの前面又は背面側又はＰＤＡ１Ａの背面側に上述した滑り止めテープ３を設けるようにしてもよい。
【００５８】
ケース本体１０Ａの一側部の前面下部及び前面上部と背面上部とにはループ状のケース側ヒモ２０をスライド自在に連結挿通させる連結挿通部２４ａ，２４ｂ，２５ａが設けられている。ここで、連結挿通部２４ａ，２４ｂ，２５ａは、ケース本体１０Ａの前面下部の連結挿通部２４ａを省いてもよいし、さらにはケース本体１０Ａの前面下部及び前面上部と背面上部とに加え、背面下部に設けられるようにしてもよい。なお、連結挿通部２４ａ，２４ｂ，２５ａは、上記同様に、スリットであってもよいし、ケース側ヒモ２０に合わせた挿通金具としてもよい。また、その挿通金具は、プラスチック製のものであってもよい。
【００５９】
ループ状のケース側ヒモ２０の一部は、後述の図１４に示すように、ＰＤＡ１Ａの背面側に設けられた滑り止めテープ３を介して連結固定されている。ここで、ループ状のケース側ヒモ２０の一部は、滑り止めテープ３を介さずに、図３のように、連結固定部２６によって連結固定されるようにしてもよい。また、その連結固定部２６及び滑り止めテープ３としては、上記同様に、マジックテープ（登録商標）や両面テープ等を用いることができる。また、直接マジックテープ（登録商標）で固定できないものについては、上記同様に、それ用のアタッチメントを作製することで対応可能である。さらに、滑り止めテープ３にあっては、ウレタン粘着素材を使用した粘着シート等を用いてもよい。また、粘着シート等を用いる場合には、ケース側ヒモ２０側にＰＤＡ１Ａより一回り小さい薄い板状の固定具を縫いつけておき、その固定具に粘着シート等を貼着させておくようにしてもよい。
【００６０】
肩ヒモ３０の両端には、上記同様に、ケース側ヒモ２０にスライド自在に連結される連結部としての連結金具３１が設けられている。なお、連結部としては連結金具３１に限らず、プラスチック製のものであってもよい。ケース本体１０内へＰＤＡ１Ａを収容する場合には、後述の図１４（ｂ）の状態からそのままＰＤＡ１Ａの底部側を下に向けるようにしてもよいし、逆に後述の図１４（ｃ）の状態からそのままＰＤＡ１Ａの底部側を上に向けるようにしてもよい。このように、ＰＤＡ１Ａの底部側を下又は上に向けて収容すると、上記同様に、ケース側ヒモ２０がケース本体１０Ａ内に引込まれる。そのため、肩ヒモ３０は、肩に掛けると、ケース本体１０Ａが胸元にくるような長さであればよい。また、肩ヒモ３０に上述した調節金具３２を設け、その調節金具３２によって肩ヒモ３０自体の長さを調節するようにしてもよい。また、ＰＤＡ１Ａの背面下方のみに、ケース側ヒモ２０を固定し、ＰＤＡ１Ａの底部側を上に向けて収容した場合、ケース側ヒモ２０がケース本体１０Ａ内に引込まれなくすることも可能である。
【００６１】
次に、このような構成のコンピュータ携帯用鞄の使用方法について説明する。
【００６２】
まず、電車等のシート等に腰掛けた状態で使用する場合、たとえば膝の上で図１４（ａ）に示す状態から蓋部２２を開放し、図１４（ｂ），（ｃ）に示すように、ＰＤＡ１Ａをケース本体１０Ａから引出す。ここで、ＰＤＡ１Ａは、上述したように、底部側を下に向けるようにしてケース本体１０Ａ内部に収容されているものとする。
【００６３】
このとき、ループ状のケース側ヒモ２０の一部がＰＤＡ１Ａに滑り止めテープ３を介して連結固定されており、ＰＤＡ１Ａの引出し動作に合わせてケース側ヒモ２０が引張られるが、ケース側ヒモ２０は上述したように、ケース本体１０の連結挿通部２４ａ，２４ｂ，２５ａにスライド自在に連結挿通されているため、ケース側ヒモ２０に邪魔されることなくＰＤＡ１Ａを引出すことができる。またこの場合、誤ってＰＤＡ１Ａから手を離すことがあっても、ケース側ヒモ２０の一部にＰＤＡ１Ａが連結されているため、ケース側ヒモ２０によってＰＤＡ１Ａを支えることができることから、ＰＤＡ１Ａの落下の危険性を阻止することができる。
【００６４】
次いで、ケース本体１０Ａの蓋部２２を閉じた後、図１４（ｄ）に示すように、その蓋部２２の上にＰＤＡ１Ａを載置する。この場合、上述したように、ＰＤＡ１Ａの背面側には滑り止めテープ３が設けられているため、ケース本体１０Ａ上におけるＰＤＡ１Ａの座りを良好に維持することができる。そして、電車等のシート等に腰掛けた状態でＰＤＡ１Ａを安全に使用することができる。なお、ケース本体１０Ａ上にＰＤＡ１Ａを載置する場合には、蓋部２２を閉じずに載置してもよい。
【００６５】
使用後は、上述した手順とは逆の動きにより、ＰＤＡ１Ａをケース本体１０Ａ内部に収容することができる。この場合、上述したように、底部側を下に向けるようにしてＰＤＡ１Ａをケース本体１０Ａ内部に収容すると、ケース側ヒモ２０がケース本体１０Ａ内に引込まれる。このとき、上述したように、肩ヒモ３０自体の長さを調節しておくことにより、肩ヒモ３０を肩に掛けると、ケース本体１０Ａが胸元にくるため、満員電車等での混雑時であってもケース本体１０Ａを胸元で抱えることができ、ＰＤＡ１Ａを保護することが容易となる。
【００６６】
一方、上述したように、ＰＤＡ１Ａの背面下方のみに、ケース側ヒモ２０を固定し、ＰＤＡ１Ａの底部側を上に向けて収容した場合、ケース側ヒモ２０がケース本体１０Ａ内に引込まれなくすることも可能である。この場合、肩ヒモ３０を首から肩の間に掛けると、ケース本体１０Ａが胸元にくるようにすることもできる。
【００６７】
次に、立った状態での使用方法について説明する。
【００６８】
ＰＤＡ１Ａをケース本体１０Ａから引出す手順は、図１４（ａ）〜（ｄ）に示した通りであるが、立った状態での使用に際しては、たとえば図１５に示すように、肩ヒモ３０を首に回した状態をとるようにする。このとき、ケース本体１０Ａを水平に保つようにすると、上記同様に、肩ヒモ３０の端がループ状のケース側ヒモ２０によって引張されるとともに、肩ヒモ３０の端に設けられている連結金具３１を介して肩ヒモ３０の端がループ状のケース側ヒモ２０に沿って適度な位置までスライドする。
【００６９】
この状態で、立った状態でもＰＤＡ１Ａを水平に保持した状態で使用することができる。またこの状態では、上述したように、ＰＤＡ１Ａの背面側に設けられている滑り止めテープ３によってＰＤＡ１Ａの滑りが抑制される。また、上述したように、ケース側ヒモ２０がＰＤＡ１Ａとケース本体１０Ａとに連結されているため、ＰＤＡ１Ａ及びケース本体１０Ａから誤って手を離しても、ＰＤＡ１Ａの落下の危険性が阻止される。
【００７０】
このように、本実施の形態では、ＰＤＡ１Ａを収容するケース本体１０Ａ側にケース側ヒモ２０をスライド自在に連結し、そのケース側ヒモ２０に肩ヒモ３０をスライド自在に連結するようにし、さらにケース側ヒモ２０の一部がＰＤＡ１Ａに連結固定され、ケース本体１０ＡにＰＤＡ１Ａが収容されると、ケース側ヒモ２０がケース本体１０Ａの内部に引込まれるようにした。
【００７１】
これにより、上述したように、肩ヒモ３０自体の長さを調節しておくことにより、肩ヒモ３０を肩に掛けると、ケース本体１０Ａが胸元にくるため、満員電車等での混雑時であってもケース本体１０Ａを胸元で抱えることができ、ＰＤＡ１Ａを容易に保護することができる。
【００７２】
また、ケース側ヒモ２０の一部がＰＤＡ１Ａに滑り止めテープ３を介して連結固定されているため、ケース本体１０Ａ内部からＰＤＡ１Ａを取出す際、又はＰＤＡ１Ａの使用中に誤ってずり落ちそうになっても、ＰＤＡ１Ａの落下の危険性を確実に阻止することができる。
【００７３】
また、ＰＤＡ１Ａに滑り止めテープ３が設けられているため、ケース本体１０Ａ上にＰＤＡ１Ａを載置したとき、ＰＤＡ１Ａの座りを良好に維持することができる。また、ケース側ヒモ２０を、ループ状としているので、上記同様に、ＰＤＡ１Ａの収容や取出しの際のスライド動作を円滑に行わせることができる。なお、図１２及び図１３では、ＰＤＡ１Ａが滑り止めテープ３を介してループ状のケース側ヒモ２０に連結される場合について説明したが、この例に限らず、たとえば図１６に示すように、ＰＤＡケース１０Ｂを設けるとともに、そのＰＤＡケース１０Ｂがケース側ヒモ２０のマジックテープ（登録商標）２０ａに連結されるよにしてもよい。この場合、ＰＤＡ１Ａの背面側やＰＤＡケース１０Ｂの内部に滑り止めシール等を設けるようにすれば、ＰＤＡケース１０ＢからのＰＤＡ１Ａの滑り落ちを防止することができる。ＰＤＡケース１０ＢにＰＤＡ１Ａが収容されるので、ＰＤＡケース１０ＢからＰＤＡ１Ａを取り外しての使用も可能となる。
【００７４】
なお、本実施の形態では、ケース本体１０ＡにＰＤＡ１Ａを収容する場合について説明したが、この例に限らず、ケース本体１０Ａには携帯用のゲーム機や携帯電話等を収容することも可能である。
【００７５】
【発明の効果】
以上の如く本発明に係るコンピュータ携帯用鞄によれば、コンピュータを収容するケース本体側にケース側ヒモをスライド自在に連結し、そのケース側ヒモに肩ヒモをスライド自在に連結するようにし、さらにケース側ヒモの一部がコンピュータに連結固定され、ケース本体にコンピュータが収容されると、ケース側ヒモがケース本体の内部に引込まれるようにしたので、ノートパソコン等のコンピュータの携帯時の安全性を高めることができ、しかも移動中での使用時の安全性を高めることができ、併せて移動中での使用を考慮することができる。
【図面の簡単な説明】
【図１】本発明のコンピュータ携帯用鞄の一実施の形態を示す図である。
【図２】図１のコンピュータ携帯用鞄の詳細を示す図である。
【図３】図１のコンピュータ携帯用鞄の詳細を示す図である。
【図４】図１のコンピュータ携帯用鞄の使用方法を説明するための図である。
【図５】図１のコンピュータ携帯用鞄の使用方法を説明するための図である。
【図６】図１のコンピュータ携帯用鞄の構成を変えた場合の他の実施の形態を示す図である。
【図７】図１のコンピュータ携帯用鞄の構成を変えた場合の他の実施の形態を示す図である。
【図８】図１のコンピュータ携帯用鞄の構成を変えた場合の他の実施の形態を示す図である。
【図９】図１のコンピュータ携帯用鞄の構成を変えた場合の他の実施の形態を示す図である。
【図１０】図８及び図９のコンピュータ携帯用鞄の使用方法を説明するための図である。
【図１１】図８及び図９のコンピュータ携帯用鞄の使用方法を説明するための図である。
【図１２】図１のコンピュータ携帯用鞄の構成を変えた場合の他の実施の形態を示す図である。
【図１３】図１のコンピュータ携帯用鞄の構成を変えた場合の他の実施の形態を示す図である。
【図１４】図１２及び図１３のコンピュータ携帯用鞄の使用方法を説明するための図である。
【図１５】図１２及び図１３のコンピュータ携帯用鞄の使用方法を説明するための図である。
【図１６】図１２及び図１３のコンピュータ携帯用鞄の構成を変えた場合の他の実施の形態を示す図である。
【符号の説明】
１　コンピュータ
１Ａ　ＰＤＡ
２，３，２２ｂ　滑り止めテープ
１０，１０Ａ　ケース本体
１０Ｂ　ＰＤＡケース
２０　ケース側ヒモ
２１　収容口
２２　蓋部
２３　取っ手
２３ａ　留具
２４，２５　連結挿通部
２４ａ，２４ｂ，２５ａ　連結挿通部
２６　連結固定部
３０　肩ヒモ
３１　連結金具
３２　調節金具
３３　肩当部
【図１】
2004097801.tif 000003
【図２】
2004097801.tif 000004
【図３】
2004097801.tif 000005
【図４】
2004097801.tif 000006
【図５】
2004097801.tif 000007
【図６】
2004097801.tif 000008
【図７】
2004097801.tif 000009
【図８】
2004097801.tif 000010
【図９】
2004097801.tif 000011
【図１０】
2004097801.tif 000012
【図１１】
2004097801.tif 000013
【図１２】
2004097801.tif 000014
【図１３】
2004097801.tif 000015
【図１４】
2004097801.tif 000016
【図１５】
2004097801.tif 000017
【図１６】
2004097801.tif 000018